(57)【要約】【課題】  限界のない空気が吸える場所に鼻や口位置があるように、頬と顎で顔を上向きに留めて保持出来る、休憩仮眠時や睡眠前のリラックス時間に使用する、顎保持固定体を提供する。【解決手段】  外部や芯類における内部の形状あるいはそれらの使用時の形状に於いて、上面側の概略形状が、前後向き縦割中心線方向の左右側で対称形を示す立体の、前記縦割り中心線と横割り中央線の交差箇所付近から前側に向けて、前方側の一部が欠損した左右対称形の凹み箇所を設けたことを特徴とする。【選択図】図１
2017185173.tif 000002
【特許請求の範囲】
【請求項１】
外部や芯類における内部の形状あるいはそれらの使用時の形状に於いて、上面側の概略形状が、前後向き縦割中心線方向の左右側で対称形を示す立体の、前記縦割り中心線と横割り中央線の交差箇所付近から前側に向けて、前方側の一部が欠損した左右対称形の凹み箇所を設けたことを特徴とする、顎保持固定体。
【請求項２】
少なくとも上面層側がクッション材で成る、概略形状が上面側では長方形を呈する立体の中心点位置近傍から前側に凹み箇所を有し、該凹み箇所の後ろ側の内壁面部に、顎裏部を引っかけ添えるための顎裏の縦向きの長さ以内の長さの顎ストッパー面部を有し、その顎ストッパー面部の左、右から前方へと内壁面部が曲がって成る前記凹み箇所の、底面側の内壁面部並びにこの内壁面部に密着した底面部層を有することを特徴とする、請求項１記載の顎保持固定体。
【請求項３】
少なくとも上面層側がクッション材で成る、概略形状が上面側では長方形を呈する立体の中心点位置近傍から前方側に凹み箇所を有し、該凹み箇所は顎を沈めた時に顔を斜めに向けることを妨げない角度で成り、前記凹み箇所内の内壁面部の側面部に厚みや大きさの変化や位置の違いによる窪みや凸部を有し、立体の下端に下段クッション体を有することを特徴とする、請求項１記載の顎保持固定体。
【発明の詳細な説明】
【技術分野】
【０００１】  空気の限界のない場所に鼻や口位置があるように顎や片頬を留めて顔位置を保持し、眠りにつく前のひと時や休憩仮眠時に使用することが可能な、顎保持固定体に関する。
【背景技術】
【０００２】
【先行技術文献】
【特許文献１】  特開２０１４−２３３３５０
【０００３】
【発明の概要】
【発明が解決しようとする課題】
【０００４】  そのために次のような問題点があった。
・本体上端位置より下端側に呼気用となる空気があり、顔を固定した状態で呼吸する時、  空気に限界があった。
・呼気用になるのは顎から肩位置間の空気となり空気は不足し、吐息はその場にこもりが  ちで、新鮮な空気は体を動かさなければ取り込めなかった。
・机上に置いた時の固定を頭の重さだけで行なっていた。
・額を載せ、固定が頭の重さだけにかかり、固定は不安定で首への負担があった。
・頭部に関しては首の支えが少ない時、顎が支えの中心であることに考えが及ばず、頭部  の固定に配慮不足であった。
・胸を当てる箇所がなく上体の固定に配慮がなく、体全体が安定しなかった。
【発明を解決するための手段】
【０００５】  外部や芯類における内部の形状あるいはそれらの使用時の形状に於いて、上面側の概略形状が、前後向き縦割中心線方向の左右側で対称形を示す立体の、前記縦割り中心線と横割り中央線の交差箇所付近から前側に向けて、前方側の一部が欠損した左右対称形の凹み箇所を設けたことを特徴とする。
【発明の効果】
【０００６】  イ）  本体上側にある空気を顔を斜め上向きの位置で吸うことが出来るようになった。
ロ）  呼気用の空気が遮断されることがなくなった。
ハ）  顎、頬の活用で、頭を安定して支えられるようになった。
ニ）  胸上部を痛みなく固定出来、体上部全体を支えることが可能になった。
ホ）  額を載せなくても頭や首が疲れずに固定出来るようになった。
ヘ）  肩から両腕の固定が出来るようになった。
【図面の簡単な説明】
【０００７】
【図１】  平面図と断面図である。
【図２】  端面図と使用図である。
【図３】  各種の側面形状である。
【図４】  各種の平面図である。
【図５】  端面図と使用図である。
【図６】  使用図である。
【図７】  端面図と使用図である。
【図８】  前面図と使用図である。
【図９】  前面図と使用図である。
【図１０】  側面図と前面図と断面図である。
【発明を実施するための形態】
【実施例１】
【０００８】  以下、本発明の実施の形態を説明する。
まず、全体の輪郭を述べる。
当発明は主に凹み箇所（４）とそれを保持する周辺部から成る。本体とは凹み箇所以外を示し、顎保持固定体（１）は本体と凹み箇所の合体を指す名称とする。本体はその上面部の縦割での中心線より左右対称形を示すが、この形状として挙げられるものは直方体や多角形や円、横向きに倒した三角柱、半円柱やそれらの変形が考えられる。また、これらの形状に他の形状を加えることも範囲とする。凹み側を説明する際に、凹みを形成する内壁面各部の名称を、本体の各部と区別して、一か所を示すだけの顎ストッパー面部（６）以外について、凹みという言葉を前側に付ける。
少なくとも上層部はクッション材使用のため、見た目には明確にはその形状や長さを示さず、触れる時に初めて肉厚か薄いかがわかる程度で大半を芯部の形状とすることを付け加える。角部は出来るだけ残さず緩いカーブで設ける。【０００９】  凹み箇所について述べる。
人の顎を差し込むための凹み箇所（４）は、主にこの凹み箇所を形づくる内壁面部の、凹み側面部（１４）とその間の顎ストッパー面部（６）と凹み底面部（５）から成る。凹み底面部については、顎ストッパー面部と共に、厚みの限界が明白なので、隣接する本体側の底面部層を加えての名称とする。
凹み箇所は使用時に収める顎先を包み保持できるように、顎の形や大きさを考慮に入れながら設け、顎先を支点にして傾きを変えられるように上側が広がる。また顎を挿入しやすく、かつ口や鼻辺りの動作を妨げないようにするために、前方側の上方一部以上が欠損し、上面位置から前側の欠損部分までが挿入口となる。顎を載せた時、前側に顔が傾かず載せ易い状態になるように、顎ストッパー面部と凹み底面部の内壁面上の角度を鈍角で設ける。また、凹み側面部位置では顔が動きにくくなるように心持狭めて設ける。顎先を載せる凹み底面部については、前方へ突き出す場合や短い場合や有さない場合もある。
凹み状態が表面側に現れる場合や芯部（１５）側のみが凹み形状を有して表側に明確には現れない場合があり、いずれにしても使用時には痛みを感じることなく、顎を顎ストッパー面部へ引っかけ添えながら、凹み底面部へと顎先を自然に沈ませることができる構造とする。【００１０】  顎保持固定体（１）の全体形状を便宜的に平たい直方体としてその場合の説明を始める。
上面部での長方形の縦を前後向き、横を左右向きとする。直方体の左右端に存在する可能性のある対称形ではない部分については、これを切り離しての表示である。従って本体左右箇所の長さは、選択となる。凹み箇所の大きさの近似値について、凹み箇所（４）の最上位置での必要な広さは、顎の横幅を越えた長さを横の長さとし、喉前からの顔の表までの厚みを、縦（顎ストッパー面部から凹み底面部（５）前側までの幅）の長さとし、顎先から喉との境位置以内の長さを高さとする。【００１１】  図１、図２を用いて、凹み箇所（４）と顎ストッパー面部（６）を説明する。
図１ａでのＸ―Ｘでは上面側に於いて、左右の長径側に直交するラインの中央位置での端面表示とし，Ｙ―Ｙでは短径側に直交するラインの前方寄り位置での断面表示とする。
ａは下側を前面側とする平面図で、長方形の対角線（２）の交点が中央位置にあり、その辺りより前方側に凹み箇所を設ける。凹み箇所を形成する凹み底面部と、隣接する半リング状に描かれた部分に於いて、中心近くで顎ストッパー面部と両側の凹み側面部（１４）、上面側に後部（７）と左、右上面部（３）が現れる。ｂはＹ―Ｙ位置での正面図で、その断面位置での前面部（８）と顎ストッパー面部とその左右の凹み側面部と凹み底面部と裏底（９）のラインが現れる。後面図は長方形となる。
図２で、正面向きの顔を前側に傾けて使用する場合を説明する。ａはＸ―Ｘ端面図で、顎先を受け止める凹み底面部を凹み箇所内に有する場合の、凹み箇所の前後の周辺箇所を示した。ｂは使用時の状態で、顎ストッパー面部に顎を添え引っかけつつ、顎先を凹み底面部上に載せている。後部の後ろ側を喉を圧迫しないように突き出さないで作る、あるいは後部の端部を机端部より突き出し気味に置いて、机の端に体が当たりにくくして使う。ｃはａに破線で囲んだ箇所を加えた場合で左側を顎位置調整体（２１）とし、概略側面図としてはこれまで説明してきた直方体から変化し、三角柱か半円柱の頂上箇所から凹み箇所を削りとって作った形状ともいえる。類似形状を図８ａで説明する。【００１２】  図３〜図５を用いて、その他の顎保持固定体（１）の凹み側面部（１４）の形状並びに下段クッション体（１０）について説明する。凹み底面部（５）を有する時も厚みや傾きを調整する等で、下段クッション体が必要な場合がある。
図３で、顎保持固定体の側面部の形状を説明する。ａは前図１の場合の長方形であるが、生地で芯部やクッションにカバーを行った時、中央位置に横向きの縫合ラインが現れる場合がある。以後この件には触れない。ｂは前方側が高い上辺が斜めを呈する台形で、破線は内側の凹み箇所を示したがここに顎を載せて使うような形状となる。ｃは下側に下段クッション体を有する場合である。下段クッション体が、顎保持固定体から完全に分離している場合や一部が繋がっている場合、面テープや作り具合等で顎保持固定体の裏底（９）と繋ぐ着脱式、または一体型等がある。その他の側面部形状では図１０にて、一体型については図４ｃにて後述する。
図４で、ここでは顎ストッパー面部のある位置の半リング状箇所を省略した図を用いるが、顎保持固定体の平面形状について、前述した長方形以外を説明する。ａは半円形で、凹み側面部（１４）の前端部の左右に頬留め凸部（２０）を設けたが、これは頬を左右から固定するための物で、図のような具体的な突起としてではなく、むしろ芯類側に抵抗感が生じるようにすればよい。ｂは底面部を有さない弧状形、ｃは長方形の顎保持固定体の下側に下段クッション体を一体型で設ける、あるいは下段クッション体をセットした場合である。顎保持固定体より下段クッション体を広く設け、そこを広場（１９）と称する。
図５で下段クッション体の使い方を説明する。ａのように、これは図２ａに準ずるが、顎保持固定体が凹み底面部を有さないため、下段クッション体上に顎保持固定体を載せてセットし、ｂのように、これは図２ｂに準ずるが、顎を下段クッション体に直接載せる。このとき厚みを工夫して望ましい顔の位置を決める。顎ストッパー面部は下段クッション体の使い方によっては顎を載せる向きになることもある。【００１３】  図６で、顎保持固定体（１）を積載可能とする、下段クッション体（１０）の形状と大きさと使い方を説明する。
ａで、前図４ｃを参考にして、下段クッション体とその周囲の形状を説明する。顎保持固定体の後方側の外側ラインは、人が両腕を輪状にして繋ぎ上方に挙げた時の肩上と腕上の流れに沿ってカーブするのがより良い。前方側と中央の左右端の広場（１９）では、机上（１１）に腕や手（１２）を載せ、臥せ寝をする時、腕を垂らしたままで臥せ寝は続けられないので、腕や手を載せることが可能な広さで設ける。後方側の広場の長さは選択し、机上類の端部より下段クッション体を胸側に垂らして使用する。接触箇所は体全体を支えるための胸上部当て箇所（１３）になる。机が体にとって丁度良い温度や固さでない限り、体を預けるにはこの下段クッション体が必要であり、机との間でクッション作用が生じ、机上の端部に接触する胸から腹箇所を保護カバーすることになる。
ｂは、平面な場所に体全体を伏せて使用する場合で、長さは選択範囲である。顎保持固定体と下段クッション体を敷く場合、布団があれば布団上に敷く。眠りにつく前にスマホを見たり読書をしたりテレビを見たりする時に使用する。枕や布団類を下段クッション体として代用し、複数を折り重ねて高さを調節する。【００１４】  図７、図８で顔を傾けて使用する場合を説明する。
凹み側面部（１４）形状の詳細を説明する。顎保持固定体をこれまで直方体で説明してきたが、前述［００１０］での凹み箇所（４）の条件を守れば他箇所の変形は可能である。凹み側面部の上部に関して片頬保持部（１６）として上側へ突き出して新たにその箇所を作るか、もともと大型にすれば高さを多くとれるので、その場合は、片頬保持部は既にその中に含まれることになる。片頬保持部の凹み側面部から延長された傾斜状態は、首に負担がかからない範囲とする。
図７の端面図の斜線を省略、芯部（１５）を升目で表す。ａは正面向きの顔を左右に傾けて使用するの場合の、前図２ａのＹ−Ｙに準じる端面図に於いて、右に傾けた顔を保持する形態で、この時、顎保持固定体に芯部があればここに芯部が現れる場合もある。ｂは、前図２ｂのＸ−Ｘに準じる使用状態で、凹み側面部の表面は顎や頬からの重さで芯部形状に合わせて凹んでいる。
図８ａは、半円柱状のかまぼこ型から凹み箇所を削り取って作ったような形状の正面図で、頬骨用窪み（１７）やえら骨用窪み（１８）を厚み差を設けて有する場合である。顔を左、右に傾け凹み側面部（１４）に預けた時に、骨による圧迫感ないしは痛みを避けるために設けるものである。頬留め凸部（２０）を設けてその内側に自然にできる窪みを頬骨用、骨用窪みに充てる方法もある。これらは順に並ぶとは限らず、顔の傾け方によっては頬留め凸部は不要になる場合があり、これに対応して凸部をあまり固く設けないまたは移動可能にする等の工夫が必要になる。ｂでは使用状態を示し、顎保持固定体を抱くようにした腕や手（１２）を図４ｃで示した下段クッション体（１０）の広場（１９）に載せている。【００１５】  図９、図１０を用いて片頬保持部（１６）を有する、顎保持固定体（１）の左右端が大型の、あるいは下段クッション体（１０）が合体している形態について説明する。
図９ａの正面図では、左、右上面部（３）が中央付近の水平位置より少し持ち上がっている、持ち上がりやすく作っている、又は左右の下側を削り落としたような形で作った場合である。ｂは使用図で、左右の端部下側より腕を差し込んだことにより、顎保持固定体で下段クッション体と共に顔全体を包むことになった場合である。顎保持固定体の左、右上面部側に腕を載せる箇所を設けても良い。
図１０は両端部を高くして片頬保持部を設けた場合で、ａは図３の側面部に新たな形状を加えた場合の側面図、ｂは正面図、ｃはｂのＺ−Ｚ断面図である。このように顎保持固定体の外郭形状は変化し確定はできない。【００１６】  顎保持固定体や下段クッション体（１０）の内部に、保冷保温剤や芳香剤やクッション材が入れられる空間を有する、あるいは該空間を生じさせることや、この二個体の隙間にそれらを挟むことは可能である。中身をさまざまな材質のチップにしても良く、それらが香を有してもよい。顎保持固定体上を覆うガーゼやティシュのようなカバーの用意もあればより良い。それらのためのケースや袋を顎保持固定体やクッション体にとりつける工夫も考えられる。
下段クッション体があれば、これで顎保持固定体に巻いて片づけたり、独立したものでは左右の側面箇所を面ファスナーにし、下段クッション体として使用した後に、面ファスナーを閉めて袋にし、そこに顎保持固定体をしまうことも出来る。
【符号の説明】
【００１７】１    顎保持固定体      ２    対角線      ３    左、右上面部
４    凹み箇所          ５    凹み底面部  ６    顎ストッパー面部
７    後部              ８    前面部      ９    裏底
１０  下段クッション体  １１  机上        １２  腕や手
１３  胸上部当て箇所    １４  凹み側面部  １５  芯部
１６  片頬保持部        １７  頬骨用窪み  １８  えら骨用窪み
１９  広場              ２０  頬留め凸部  ２１  顎位置調整体
【図１】
2017185173.tif 000003
【図２】
2017185173.tif 000004
【図３】
2017185173.tif 000005
【図４】
2017185173.tif 000006
【図５】
2017185173.tif 000007
【図６】
2017185173.tif 000008
【図７】
2017185173.tif 000009
【図８】
2017185173.tif 000010
【図９】
2017185173.tif 000011
【図１０】
2017185173.tif 000012